(57)【要約】【解決手段】傾斜地土留め構造体１４においては、傾斜地Ｓに対し複数互いに並べて敷設した傾斜地敷設用土留め部材１のコンクリートブロックの全部または一部の連結孔に連結用鉄筋１３を挿通したり、このコンクリートブロックの全部または一部の連結用線材を止め手段により互いに固定したり、コンクリートブロックを引掛用線材で吊り下げて傾斜地Ｓに対し傾斜地敷設用土留め部材１を複数互いに並べて敷設したりして、複数のコンクリートブロックを互いに連結する。【効果】傾斜地敷設用土留め部材１の利用により、傾斜地Ｓに対する傾斜地土留め構造体１４の設置を簡単にして工事期間を短縮することができる。【選択図】図２
2005273416.tif 000002
【特許請求の範囲】
【請求項１】
敷設地に対し互いに並べられて敷設されるコンクリートブロックを主体とし、そのコンクリートブロックには連結用鉄筋が挿通される連結孔を形成したことを特徴とする敷設用土留め部材。
【請求項２】
前記コンクリートブロックは、その表側に形成した凹所の底部となる裏壁部と、この裏壁部の外周の全部または一部で立ち上がる側壁部と、この裏壁部に面して側壁部間で開放された開放表面部とを備え、前記連結孔はこの裏壁部に形成されていることを特徴とする請求項１に記載の敷設用土留め部材。
【請求項３】
前記連結孔は、その両端部で裏壁部の外側へ開放された挿通口部と、この両挿通口部間で裏壁部に貫設された貫通孔部とからなり、この裏壁部には複数の貫通孔部が互いに交差する連結開口を形成したことを特徴とする請求項２に記載の敷設用土留め部材。
【請求項４】
敷設地に対し互いに並べられて敷設されるコンクリートブロックを主体とし、そのコンクリートブロックの外周には連結用線材を突出させたことを特徴とする敷設用土留め部材。
【請求項５】
前記コンクリートブロックは、その表側に形成した凹所の底部となる裏壁部と、この裏壁部の外周の全部または一部で立ち上がる側壁部と、この裏壁部に面して側壁部間で開放された開放表面部とを備え、前記連結用線材はこの裏壁部または側壁部の外側から突出していることを特徴とする請求項４に記載の敷設用土留め部材。
【請求項６】
前記連結用線材は引掛部を有していることを特徴とする請求項５に記載の敷設用土留め部材。
【請求項７】
敷設地に対し互いに並べられて敷設されるコンクリートブロックを主体とし、このコンクリートブロックは、その表側に形成した凹所の底部となる裏壁部と、この裏壁部の外周の全部または一部で立ち上がる側壁部と、この裏壁部に面して側壁部間で開放された開放表面部とを備え、この裏壁部には引掛用線材が露出する貫通孔を設けたことを特徴とする敷設用土留め部材。
【請求項８】
敷設地に対し複数互いに並べて敷設した請求項１から請求項３のうちいずれかの請求項に記載の敷設用土留め部材のコンクリートブロックの全部または一部の連結孔に連結用鉄筋を挿通して複数のコンクリートブロックを互いに連結したことを特徴とする敷設地土留め構造体。
【請求項９】
敷設地に対し複数互いに並べて敷設した請求項４から請求項６のうちいずれかの請求項に記載の敷設用土留め部材のコンクリートブロックの全部または一部の連結用線材を止め手段により互いに固定して複数のコンクリートブロックを互いに連結したことを特徴とする敷設地土留め構造体。
【請求項１０】
敷設地に対し複数互いに並べて敷設した請求項７に記載の敷設用土留め部材のコンクリートブロックを互いに固定して複数のコンクリートブロックを互いに連結したことを特徴とする敷設地土留め構造体。
【発明の詳細な説明】
【技術分野】
【０００１】
本発明は、河川や道路の堤斜面（のり面）等の各種傾斜地（敷設地）を安定させるために傾斜地に対し互いに並べられて敷設される敷設用土留め部材、並びに、その敷設用土留め部材を利用した敷設地土留め構造体に関するものである。
【背景技術】
【０００２】
従来は、傾斜地で予め縦横に設置したコンクリート枠体内にコンクリートを打設して傾斜地土留め構造体を傾斜地に敷設していた。
【発明の開示】
【発明が解決しようとする課題】
【０００３】
しかし、コンクリートの打設前にコンクリート枠体を設置する作業を必要とするとともに、その設置後にコンクリートを打設する作業を必要とし、工事期間を短縮することが難しかった。
【０００４】
この発明は、敷設地に敷設地土留め構造体を敷設する際、従来技術と比較して工事期間を短縮することを目的としている。
【課題を解決するための手段】
【０００５】
後記実施形態の図面の符号を援用して本発明を説明する。
請求項１の発明にかかる敷設用土留め部材（１）は、敷設地（Ｓ）に対し互いに並べられて敷設されるコンクリートブロック（２）を主体とし、そのコンクリートブロック（２）には連結用鉄筋（１３）が挿通される連結孔（９）を形成した。
【０００６】
請求項１の発明では、この敷設用土留め部材（１）を利用すれば、第１２の発明にかかる敷設地土留め方法により複数のコンクリートブロック（２）を互いに連結した請求項８の発明にかかる敷設地土留め構造体（１４）を敷設地（Ｓ）に対し簡単に設置することができるので、従来技術と比較して工事期間を短縮することができる。また、この敷設用土留め部材（１）として各種形状のものを用意すれば、敷設地（Ｓ）に応じて敷設地土留め構造体（１４）の形態を各種変更することができる。
【０００７】
請求項１の発明を前提とする請求項２の発明において、前記コンクリートブロック（２）は、その表側に形成した凹所（３）の底部となる裏壁部（４）と、この裏壁部（４）の外周の全部または一部で立ち上がる側壁部（５）と、この裏壁部（４）に面して側壁部（５）間で開放された開放表面部（６）とを備え、前記連結孔（９）はこの裏壁部（４）に形成されている。この裏壁部（４）の外周は、各種形状、例えば正方形や長方形などの四角形状、二等辺直角三角形などの三角形状に形成されている。請求項２の発明では、裏壁部（４）内に連結孔（９）を隠蔽状態で容易に形成することができる。
【０００８】
請求項２の発明を前提とする請求項３の発明において、前記連結孔（９）は、その両端部で裏壁部（４）の外側へ開放された挿通口部（１０）と、この両挿通口部（１０）間で裏壁部（４）に貫設された貫通孔部（１１）とからなり、この裏壁部（４）には複数の貫通孔部（１１）が互いに交差する連結開口（１２）を形成した。請求項３の発明では、各貫通孔部（１１）に挿通された連結用鉄筋（１３）をこの連結開口（１２）で溶接などにより互いに固着して各敷設用土留め部材（１）を強固に連結することができる。
【０００９】
請求項４の発明にかかる敷設用土留め部材（１）は、敷設地（Ｓ）に対し互いに並べられて敷設されるコンクリートブロック（２）を主体とし、そのコンクリートブロック（２）の外周には連結用線材（１６）を突出させた。
【００１０】
請求項４の発明を前提とする請求項５の発明において、前記コンクリートブロック（２）は、その表側に形成した凹所（３）の底部となる裏壁部（４）と、この裏壁部（４）の外周の全部または一部で立ち上がる側壁部（５）と、この裏壁部（４）に面して側壁部（５）間で開放された開放表面部（６）とを備え、前記連結用線材（１６）はこの裏壁部（４）または側壁部（５）の外側から突出している。
【００１１】
請求項４〜５の発明では、この敷設用土留め部材（１）を利用すれば、第１３の発明にかかる敷設地土留め方法により複数のコンクリートブロック（２）を互いに連結した請求項１０の発明にかかる敷設地土留め構造体（１４）を敷設地（Ｓ）に対し簡単に設置することができるので、従来技術と比較して工事期間を短縮することができる。また、この敷設用土留め部材（１）として各種形状のものを用意すれば、敷設地（Ｓ）に応じて敷設地土留め構造体（１４）の形態を各種変更することができる。ちなみに、請求項１〜３の発明にかかる敷設用土留め部材（１）と比較して、敷設地（Ｓ）の平坦度が悪い場合でもコンクリートブロック（２）を互いに連結し易い。
【００１２】
請求項５の発明を前提とする請求項６の発明において、前記連結用線材（１６）は引掛部（１７）を有している。ちなみに、この連結用線材（１６）はこの引掛部（１７）に連続する埋設部（１８）を有している。請求項６の発明では、止め手段（図示せず）として、互いに隣接する各連結用線材（１６）の引掛部（１７）にワイヤを引き掛けて固定することができる。また、コンクリートブロック（２）を吊り下げる際にこの引掛部（１７）を利用することができる。
【００１３】
請求項７の発明にかかる敷設用土留め部材（１）は、敷設地（Ｓ）に対し互いに並べられて敷設されるコンクリートブロック（２）を主体としている。このコンクリートブロック（２）は、その表側に形成した凹所（３）の底部となる裏壁部（４）と、この裏壁部（４）の外周の全部または一部で立ち上がる側壁部（５）と、この裏壁部（４）に面して側壁部（５）間で開放された開放表面部（６）とを備えている。この裏壁部（４）には引掛用線材（２７）が露出する貫通孔（２６）を設けている。
【００１４】
請求項７の発明では、この敷設用土留め部材（１）を利用すれば、第１４の発明にかかる敷設地土留め方法により複数のコンクリートブロック（２）を互いに連結した請求項１０の発明にかかる敷設地土留め構造体（１４）を敷設地（Ｓ）に対し簡単に設置することができるので、従来技術と比較して工事期間を短縮することができる。また、この敷設用土留め部材（１）として各種形状のものを用意すれば、敷設地（Ｓ）に応じて敷設地土留め構造体（１４）の形態を各種変更することができる。
【００１５】
請求項８の発明にかかる敷設地土留め構造体（１４）においては、敷設地（Ｓ）に対し複数互いに並べて敷設した請求項１から請求項３のうちいずれかの請求項の発明に記載の敷設用土留め部材（１）のコンクリートブロック（２）の全部または一部の連結孔（９）に連結用鉄筋（１３）を挿通して複数のコンクリートブロック（２）を互いに連結した。
【００１６】
請求項８の発明では、敷設用土留め部材（１）の利用により、敷設地（Ｓ）に対する敷設地土留め構造体（１４）の設置工事期間を従来技術と比較して短縮することができる。
請求項９の発明にかかる敷設地土留め構造体（１４）においては、敷設地（Ｓ）に対し複数互いに並べて敷設した請求項４から請求項６のうちいずれかの請求項の発明に記載の敷設用土留め部材（１）のコンクリートブロック（２）の全部または一部の連結用線材（１６）を止め手段により互いに固定して複数のコンクリートブロック（２）を互いに連結した。
【００１７】
請求項９の発明では、敷設用土留め部材（１）の利用により敷設地（Ｓ）に対する敷設地土留め構造体（１４）の設置工事期間を従来技術と比較して短縮することができる。
請求項１０の発明にかかる敷設地土留め構造体（１４）においては、敷設地（Ｓ）に対し複数互いに並べて敷設した請求項７に記載の敷設用土留め部材（１）のコンクリートブロック（２）を互いに固定して複数のコンクリートブロック（２）を互いに連結した。
【００１８】
請求項１０の発明では、敷設用土留め部材（１）の利用により敷設地（Ｓ）に対する敷設地土留め構造体（１４）の設置工事期間を従来技術と比較して短縮することができる。
請求項２または請求項３または請求項５または請求項６または請求項７の発明を前提とする第１１の発明において、前記コンクリートブロック（２）の凹所（３）内には人工植物または自然植物を設けた。第１１の発明では、敷設地土留め構造体（１４）を設置した敷設地（Ｓ）の自然環境を改善することができる。
【００１９】
第１２の発明にかかる敷設地土留め方法においては、請求項１から請求項３のうちいずれかの請求項の発明に記載の敷設用土留め部材（１）を敷設地（Ｓ）に対し複数互いに並べて敷設した後、これらの敷設用土留め部材（１）のコンクリートブロック（２）の全部または一部の連結孔（９）に連結用鉄筋（１３）を挿通して複数のコンクリートブロック（２）を互いに連結する。第１２の発明では、敷設用土留め部材（１）の利用により、敷設地（Ｓ）に対する敷設地土留め構造体（１４）の設置工事期間を従来技術と比較して短縮することができる。
【００２０】
第１３の発明にかかる敷設地土留め方法においては、請求項４から請求項６のうちいずれかの請求項の発明に記載の敷設用土留め部材（１）を敷設地（Ｓ）に対し複数互いに並べて敷設した後、これらの敷設用土留め部材（１）のコンクリートブロック（２）の全部または一部の連結用線材（１６）を止め手段により互いに固定して複数のコンクリートブロック（２）を互いに連結する。第１３の発明では、敷設用土留め部材（１）の利用により、敷設地（Ｓ）に対する敷設地土留め構造体（１４）の設置工事期間を従来技術と比較して短縮することができる。
【００２１】
第１４の発明にかかる敷設地土留め方法においては、請求項７の発明に記載の敷設用土留め部材（１）を引掛用線材（２７）で吊り下げて敷設地（Ｓ）に対し複数互いに並べて敷設した後、これらの敷設用土留め部材（１）のコンクリートブロック（２）を互いに固定して複数のコンクリートブロック（２）を互いに連結する。第１４の発明では、敷設用土留め部材（１）の利用により、敷設地（Ｓ）に対する敷設地土留め構造体（１４）の設置工事期間を従来技術と比較して短縮することができる。
【発明の効果】
【００２２】
本発明は、敷設地（Ｓ）に対する敷設地土留め構造体（１４）の設置工事期間を短縮することができる。
【発明を実施するための最良の形態】
【００２３】
〔第一実施形態〕
まず、本発明の第一実施形態について図１〜３を参照して説明する。
図３に示す傾斜地敷設用土留め部材１は、コンクリートブロック２を主体とし、図１（ａ）及び図２（ａ）（ｂ）に示すように傾斜地Ｓ（敷設地）に対し互いに並べられて敷設される。このコンクリートブロック２は、その表側に形成された凹所３の底部となる裏壁部４と、この裏壁部４の外周の全部で立ち上がる側壁部５と、この裏壁部４に面して側壁部５間で開放された開放表面部６とを備えている。この裏壁部４の外周は正方形状に形成されている。この凹所３において、裏壁部４と側壁部５との間の隅部には面取り斜面７が形成され、その面取り斜面７の幅は任意に変更可能である。この裏壁部４内には図示しない補強鉄筋が埋設されて縦横に配設されている。任意のコンクリートブロック２において、凹所３内には植物８（人工芝などの人工植物または自然芝などの自然植物）が埋め込まれ、裏壁部４にはこの植物８（自然植物）の根を張らせるための根張孔（図示せず）が傾斜地Ｓと凹所３内との間で貫設されている。また、任意のコンクリートブロック２には水抜き孔（図示せず）が傾斜地Ｓと凹所３内との間で貫設されている。
【００２４】
図３（ａ）（ｂ）（ｃ）に示すように、各コンクリートブロック２の裏壁部４には複数の連結孔９が縦横に形成されている。この各連結孔９は、その両端部で裏壁部４の外側へ開放された挿通口部１０と、この両挿通口部１０間で裏壁部４に貫設された貫通孔部１１とからなる。この裏壁部４では、縦横の連結孔９の貫通孔部１１が交差部１１ａで互いに交差し、その交差部１１ａに連通する連結開口１２が形成されて前記凹所３内に開放されている。
【００２５】
図１（ｂ）及び図２（ａ）（ｂ）（ｃ）（ｄ）に示すように、前記土留め部材１を傾斜地Ｓに対し複数互いに並べて敷設した後、これらの土留め部材１のコンクリートブロック２の全部または一部の連結孔９に連結用鉄筋１３を挿通する。これらの連結用鉄筋１３は各貫通孔部１１の交差部１１ａで上下並んで互いに交差し、連結開口１２でこれらの連結用鉄筋１３に溶接を行うことにより、複数のコンクリートブロック２を溶接部１２ａにより互いに連結して傾斜地土留め構造体１４とする。この傾斜地土留め構造体１４の外周はコンクリートなどの枠体１５により固め、各土留め部材１間の隙間はモルタルなどにより埋める。
【００２６】
〔第一実施形態の別例〕
図４（ａ）に示す別例１や図５（ａ）に示す別例２で傾斜地土留め構造体１４においては、図３に示す傾斜地敷設用土留め部材１のほかに、図４（ｂ）に示す長方形状の傾斜地敷設用土留め部材１や図５（ｂ）に示す二等辺直角三角形状の傾斜地敷設用土留め部材１を利用して、各土留め部材１の配置や向きを変更している。また、この土留め部材１においては、凹所３内の植物８を省略したり、裏壁部４の外周の一部で側壁部５を省略したりしてもよい。
【００２７】
〔第二実施形態〕
次に、本発明の第二実施形態について図６〜７を参照して説明する。
この第二実施形態では、第一実施形態にかかる傾斜地敷設用土留め部材１において連結孔９，連結開口１２及び連結用鉄筋１３が省略され、それに代えて、折り曲げられた複数の連結用線材１６（鉄筋）が傾斜地敷設用土留め部材１の裏壁部４または側壁部５の外周の適宜箇所（隅部）から外側へ突出している。この連結用線材１６は、土留め部材１のコンクリートブロック２の成形時にインサートされ、裏壁部４または側壁部５の外側でＵ状をなす引掛孔部１７（引掛部）と、この裏壁部４または側壁部５内でこの引掛孔部１７の両腕部１７ａに連続する腕部１９を有する埋設部１８とからなる。この埋設部１８の両腕部１９の先端部は抜止め部１９ａとして折曲されている。
【００２８】
図６（ａ）（ｂ）に示すように各土留め部材１を傾斜地Ｓに対し複数互いに並べて敷設した状態では、各土留め部材１の連結用線材１６が互いに突き合わされ、図７（ａ）に示す固定部２０、図７（ｂ）に示す固定部２１、図７（ｃ）に示す固定部２２、図７（ｄ）に示す固定部２３、図７（ｅ）に示す固定部２４及び図７（ｆ）に示す固定部２５など各種の突合せ状態となる。その突合せ状態で、止め手段（図示せず）として、互いに隣接する各連結用線材１６の引掛孔部１７にワイヤを通して固定したり、この各連結用線材１６を互いに溶接して固定したり、この各連結用線材１６をコンクリート内に埋設して固定するなどの作業を行い、複数のコンクリートブロック２を互いに連結する。前記各連結用線材１６の引掛孔部１７は、土留め部材１のコンクリートブロック２を吊り下げる際に利用することができる。
【００２９】
〔第三実施形態〕
次に、本発明の第三実施形態について図８を参照して説明する。
各種形態に成形された傾斜地敷設用土留め部材１においてコンクリートブロック２の裏壁部４には、複数の貫通孔２６が表裏両側へ開放されるように形成され、コンクリートブロック２の成形時に一または二以上の引掛用線材２７（鉄筋）がこの各貫通孔２６を互いにつなぐように裏壁部４内に埋設されて貫通孔２６内で露出している。この引掛用線材（２７）はコンクリートブロック２を吊り下げる際に利用する。また、この貫通孔２６は前述した根張孔や水抜き孔としての機能も果たす。なお、このコンクリートブロック２内には補強鉄筋が埋設されていない。
【図面の簡単な説明】
【００３０】
【図１】（ａ）は第一実施形態にかかる傾斜地土留め構造体において傾斜地敷設用土留め部材の並設状態を示す斜視図であり、（ｂ）は（ａ）の部分拡大正面図である。
【図２】（ａ）は第一実施形態にかかる傾斜地土留め構造体を示す縦断面図であり、（ｂ）は同じく横断面図であり、（ｃ）は図１（ｂ）のＡ−Ａ線拡大断面図であり、（ｄ）は図１（ｂ）のＢ−Ｂ線拡大断面図である。
【図３】（ａ）は第一実施形態にかかる傾斜地敷設用土留め部材を示す正面図であり、（ｂ）は（ａ）のＣ−Ｃ線断面図であり、（ｃ）は（ａ）のＤ−Ｄ線断面図である。
【図４】（ａ）は第一実施形態の別例１にかかる傾斜地土留め構造体において傾斜地敷設用土留め部材の並設状態を示す正面図であり、（ｂ）は第一実施形態の別例１で利用した傾斜地敷設用土留め部材を示す正面図である。
【図５】（ａ）は第一実施形態の別例２にかかる傾斜地土留め構造体において傾斜地敷設用土留め部材の並設状態を示す正面図であり、（ｂ）は第一実施形態の別例２で利用した傾斜地敷設用土留め部材を示す正面図である。
【図６】（ａ）（ｂ）はそれぞれ第二実施形態にかかる傾斜地土留め構造体において傾斜地敷設用土留め部材の並設状態を示す部分正面図である。
【図７】（ａ）（ｂ）（ｃ）はそれぞれ図６（ａ）の部分拡大図であり、（ｄ）（ｅ）（ｆ）はそれぞれ図６（ｂ）の部分拡大図である。
【図８】第三実施形態にかかる傾斜地土留め構造体において傾斜地敷設用土留め部材の並設状態を示す部分正面図である。
【符号の説明】
【００３１】
１…傾斜地敷設用土留め部材、２…コンクリートブロック、３…凹所、４…裏壁部、５…側壁部、６…開放表面部、８…植物、９…連結孔、１０…挿通口部、１１…貫通孔部、１２…連結開口、１３…連結用鉄筋、１４…傾斜地土留め構造体、１６…連結用線材、１７…引掛孔部、２６…貫通孔、２７…引掛用線材、Ｓ…傾斜地（敷設地）。
【図１】
2005273416.tif 000003
【図２】
2005273416.tif 000004
【図３】
2005273416.tif 000005
【図４】
2005273416.tif 000006
【図５】
2005273416.tif 000007
【図６】
2005273416.tif 000008
【図７】
2005273416.tif 000009
【図８】
2005273416.tif 000010